(57)【要約】【課題】注出口を閉空間内で栓体によって閉栓できる注出キャップを提供すること。【解決手段】口部３に被着され、キャップ軸Ｏ１に交差する側方に向けて開口する注出口２２Ａが形成されたキャップ本体１１と、キャップ本体１１に連結ヒンジ部１２を介して着脱自在に連結され、注出口２２Ａを覆う上蓋１３と、を備え、上蓋１３が、連結ヒンジ部１２を介してキャップ本体１１に連結される蓋本体３１と、注出口２２Ａを開閉する栓体４１と、栓体４１の外周縁と蓋本体３１とを接続する変形部４２と、栓体４１の外面に設けられ、変形部４２を上蓋１３の内外側に向けて出没変形させることで注出口２２Ａを開閉させる操作部４３と、を有する。【選択図】図１
2010149867.tif 000002
【特許請求の範囲】
【請求項１】
内容物を収容する容器の口部に被着される注出キャップであって、
前記口部に被着され、当該注出キャップの中心軸に交差する側方に向けて開口する注出口が形成されたキャップ本体と、
該キャップ本体に連結ヒンジ部を介して着脱自在に連結され、前記注出口を覆う上蓋と、を備え、
前記上蓋が、前記連結ヒンジ部を介して前記キャップ本体に連結される蓋本体と、前記注出口を開閉する栓体と、該栓体の外周縁と前記蓋本体とを接続する変形部と、前記栓体の外面に設けられ、前記変形部を当該上蓋の内外側に向けて出没変形させることで前記注出口を開閉させる操作部と、を有することを特徴とする注出キャップ。
【請求項２】
前記変形部が、前記栓体の外周縁の一部と前記蓋本体とを接続する開閉ヒンジ部を有することを特徴とする請求項１に記載の注出キャップ。
【発明の詳細な説明】
【技術分野】
【０００１】
本発明は、注出キャップに関するものである。
【背景技術】
【０００２】
従来、注出キャップとして、容器の口部に被着されて側方に向けて開口する注出口が先端に形成された注出筒を有するキャップ本体と、キャップ本体にヒンジ部を介して接続されて注出筒を被覆し、注出口を閉栓する栓体が設けられた上蓋と、を備える構成が知られている（例えば、特許文献１参照）。この注出キャップでは、上蓋をキャップ本体の天面部に対してスライド移動させることによって栓体を開閉している。
また、注出口に小蓋を一体的に設け、上蓋の開放時に小蓋を同時に開放する注出キャップも存在する（特許文献２参照）。
【特許文献１】特公平７−５９４２８号公報
【特許文献２】特開２００８−７４４７０号公報
【発明の開示】
【発明が解決しようとする課題】
【０００３】
しかしながら、上記特許文献１に示された注出キャップにおいては、以下の課題が残されている。すなわち、上蓋の根元部分には、上蓋をキャップ本体に対してスライド移動させるための切欠が形成されている。そのため、上蓋が注出筒を閉空間内に配置することができず、切欠を通して外部から異物が侵入するおそれがある。また、繰り返し使用されることによって切欠が損傷するというおそれもあった。
また、上記特許文献２に示された注出キャップにおいては、度重なる小蓋の開閉にあたって、小蓋と上蓋とを係合する突出片やフラップ片が変形するおそれがあり、この変形によって円滑な小蓋の開閉を阻害するおそれがあった。
【０００４】
本発明は、前述の課題に鑑みてなされたもので、注出口を閉空間内で栓体によって閉栓でき、度重なる使用によっても変形などが起こりにくく耐久性に優れ、簡単な操作で注出口の開閉が可能となる注出キャップを提供することを目的とする。
【課題を解決するための手段】
【０００５】
本発明は、上記のような課題を解決するために以下のような手段を採用した。すなわち、本発明の注出キャップは、内容物を収容する容器の口部に被着される注出キャップであって、前記口部に被着され、当該注出キャップの中心軸に交差する側方に向けて開口する注出口が形成されたキャップ本体と、該キャップ本体に連結ヒンジ部を介して着脱自在に連結され、前記注出口を覆う上蓋と、を備え、前記上蓋が、前記連結ヒンジ部を介して前記キャップ本体に連結される蓋本体と、前記注出口を開閉する栓体と、該栓体の外周縁と前記蓋本体とを接続する変形部と、前記栓体の外面に設けられ、前記変形部を当該上蓋の内外側に向けて出没変形させることで前記注出口を開閉させる操作部と、を有することを特徴とする。
【０００６】
この発明では、変形部が上蓋の内外側に向けて出没変形自在であるため、キャップ本体に装着された上蓋によって形成された閉空間内で栓体による注出口の開閉が行える。すなわち、消費者（使用者）が操作部を操作して栓体が注出口から離間して開栓するとき、変形部は、栓体の移動に追従して上蓋の外方に向けて突出変形する。そして、連結ヒンジ部を中心として上蓋をキャップ本体に対して回動させてキャップ本体から上蓋を取り外すことで、消費者は、注出口から容器内の内容物を注出できる。また、操作部を操作して栓体を注出口に接近させると、変形部は、栓体の移動に追従して上蓋の内方に向けて陥没変形する。以上のように、閉空間内で注出口を開閉でき、上蓋の外部から内部に異物が侵入することを抑制できるとともに、注出口の開放時に内容物が飛散して手指や衣服などを汚すことが防止される。
【０００７】
また、本発明の注出キャップは、前記変形部が、前記栓体の外周縁の一部と前記蓋本体とを接続する開閉ヒンジ部を有することが好ましい。
この発明では、栓体が開閉ヒンジ部回りで回動し、開閉時における栓体の運動が一定になるため、注出口を安定して開閉できる。
【発明の効果】
【０００８】
この発明にかかる注出キャップによれば、キャップ本体に装着された上蓋によって形成された閉空間内で注出口を開閉でき、上蓋の外部から内部に異物が侵入することを防止して内容物の変質を抑制できる。また、度重なる使用における耐久性に優れ、簡単な操作で注出口の開閉が可能となる。
【発明を実施するための最良の形態】
【０００９】
以下、本発明における注出キャップの一実施形態を、図面に基づいて説明する。なお、以下の説明に用いる各図面では、各部材を認識可能な大きさとするために縮尺を適宜変更している。
【００１０】
本実施形態における注出キャップ１は、図１及び図２に示すように、容器２の口部３に被着される。注出キャップ１は、例えば例えばＰＥ（ポリエチレン）、ＰＰ（ポリプロピレン）などの樹脂材料で形成されており、一体的に形成されたキャップ本体１１と連結ヒンジ部１２と上蓋１３とを備えている。
キャップ本体１１は、筒状に形成されていると共に、上蓋１３は、有頂筒状に形成されており、これらキャップ本体１１及び上蓋１３は、それぞれの中心軸線が共通軸上に位置された状態で配設されている。以下、この共通軸をキャップ軸（中心軸）Ｏ１と称し、キャップ軸Ｏ１に沿って口部３に対して容器２から注出キャップ１側に離間する方向を上方、容器２に接近する方向を下方とする。
【００１１】
キャップ本体１１は、口部３に被着される筒状部材である。そして、キャップ本体１１は、天面部２１と、天面部２１に設けられた注出筒２２と、天面部２１の下面に設けられた外筒部２３及び内筒部２４と、天面部２１の上面に設けられた装着筒部２５と、を備える。
天面部２１は、平面視で円板状をなしている。そして、天面部２１の中央部には、容器２の内部に連通する連通口２１Ａが形成されている。また、天面部２１には、内容物の注出時において外気を容器２内に流入させ、注出される内容物と置換するための貫通孔（図示略）が形成されてもよい。これにより、容器２内の内容物がスムーズに注出される。
【００１２】
注出筒２２は、筒状をなしており、天面部２１に接続される立設部２６と、立設部２６に接続された先端部２７と、を備える。
立設部２６は、連通口２１Ａの周縁に設けられており、天面部２１からキャップ軸Ｏ１に沿って立設されている。先端部２７は、立設部２６の上端からこの上端よりも径方向外方に向けて屈曲しており、キャップ軸Ｏ１から交差する注出軸Ｏ２に沿って延在している。そして、先端部２７の先端には、注出筒２２の内部及び連通口２１Ａを通って容器２の内部と連通する注出口２２Ａが形成されている。すなわち、注出口２２Ａは、キャップ軸Ｏ１に交差する側方に向けて開口している。なお、交差角度は直角でなくてもよく、注出口２２Ａがキャップ軸Ｏ１に交差する側方に向かっていれば適宜設定される傾斜角度で交差していればよい。
【００１３】
外筒部２３は、円筒状をなし、天面部２１の外周縁から垂下して形成されている。
内筒部２４は、円筒状をなし、外筒部２３よりも径方向内方において天面部２１から垂下して形成されている。そして、内筒部２４の外周面と外筒部２３の内周面との間に口部３が嵌合される。
装着筒部２５は、円筒状をなし、外筒部２３よりも径方向内方かつ内筒部２４よりも径方向外方において天面部２１の上面に立設されている。そして、装着筒部２５の上端の外周には、径方向外方に向けて突出する第１装着凸部２５Ａが全周にわたって形成されている。
【００１４】
連結ヒンジ部１２は、キャップ軸Ｏ１を挟んで注出口２２Ａの開口方向とは径方向反対側における天面部２１の外周縁に設けられており、天面部２１の外周縁と上蓋１３の後述する周壁部３４の下端縁とを接続する。連結ヒンジ部１２には、一般的な構成のものを適宜採用することができる。例えば、連結ヒンジ部１２は、天面部２１及び周壁部３４よりも薄肉とすることによって形成され、上蓋１３がキャップ本体１１に対して連結ヒンジ部１２を中心として回動させる。
【００１５】
上蓋１３は、有頂筒状をなしており、連結ヒンジ部１２に接続される蓋本体３１と、注出口２２Ａを開閉する栓部材３２とを備えている。そして、上蓋１３は、キャップ本体１１に装着されることで内部に閉空間を形成する。
蓋本体３１は、天板部３３と、天板部３３の外周縁から垂下された周壁部３４とを有する。
天板部３３は、平面視でほぼ円板状をなしており、キャップ軸Ｏ１を挟んで連結ヒンジ部１２とは径方向で反対側の一部であって上蓋１３をキャップ本体１１に装着した状態で注出軸Ｏ２と交差する位置及びその周辺領域が切欠部分となっている。
【００１６】
周壁部３４は、ほぼ円筒状をなしており、天板部３３と同様に、キャップ軸Ｏ１を挟んで連結ヒンジ部１２とは径方向で反対側の一部であって上蓋１３をキャップ本体１１に装着した状態で注出軸Ｏ２と交差する位置及びその周辺領域が切欠部分となっている。
また、周壁部３４は、天板部３３の外周縁から下方に向かうにしたがって漸次拡径する肩部３５と、肩部３５の下端からキャップ軸Ｏ１に沿って延在する胴部３６とを有する。そして、胴部３６の下端縁においてキャップ軸Ｏ１を挟んで注出口２２Ａの開口方向と反対側には、上述した連結ヒンジ部１２が設けられている。また、胴部３６の下端の内周面には、径方向内方に向けて突出して装着筒部２５の第１装着凸部２５Ａと係合する第２装着凸部３６Ａが全周にわたって形成されている。
【００１７】
栓部材３２は、蓋本体３１に形成された切欠部分を被覆するように、上蓋１３をキャップ本体１１に装着した状態で上蓋１３が注出軸Ｏ２と交差する位置及びその周辺領域に設けられており、天板部３３から周壁部３４にわたって形成されている。そして、栓部材３２は、栓体４１、変形部４２及び操作部４３を有する。
栓体４１は、帯状をなす板部材であり、天板部３３の切欠部分から周壁部３４の切欠部分にわたって延在している。また、栓体４１の内面には、注出口２２Ａの閉栓時において注出口２２Ａに嵌合される環状の嵌合凸部４１Ａが立設されている。
【００１８】
変形部４２は、栓体４１の外周を囲むように形成されており、栓体４１の外周縁と蓋本体３１とを接続している。そして、変形部４２は、薄肉部４４と、開閉ヒンジ部４５とを有する。
薄肉部４４は、ほぼＵ字状をなしており、栓体４１の上端縁を除く外周縁を囲んでいる。そして、薄肉部４４は、栓体４１の外周縁と天板部３３及び周壁部３４とを接続している。また、薄肉部４４は、栓体４１よりも薄肉とすることによって形成されている。
そのため、薄肉部４４は、栓体４１が注出口２２Ａを閉栓している状態において上蓋１３の内側に向けて椀状に陥没しており、注出口２２Ａを開栓している状態において上蓋１３の外側に向けて椀状に突出するように変形する（例えば、図３参照）。そして、薄肉部４４は、注出口２２Ａを閉栓している状態において内側に向けて椀状に陥没することで、栓体４１を注出口２２Ａに押し付けている。これにより、栓体４１は、注出キャップ１が被着された容器２が倒れた場合など注出キャップ１に衝撃が加わった場合であっても注出口２２Ａから離間して注出口２２Ａを開栓することを回避できる。
開閉ヒンジ部４５は、栓体４１の上端縁に設けられており、栓体４１と天板部３３とを接続している。開閉ヒンジ部４５は、栓体４１及び天板部３３よりも薄肉とすることによって形成されている。
操作部４３は、栓体４１の外面から上蓋１３の外方に向けて突設されている。
【００１９】
次に、以上のような構成の注出キャップ１による内容物の注出方法について説明する。
まず、消費者（使用者）は、操作部４３を摘んで上方に引き上げる。そして、栓体４１は、操作部４３の引き上げと共に開閉ヒンジ部４５回りで上方に向けて回動する。これにより、注出口２２Ａに嵌合している嵌合凸部４１Ａが注出口２２Ａから離脱し、注出口２２Ａは、開栓される。
また、栓体４１の外側において上蓋１３の内側に向けて陥没している薄肉部４４は、栓体４１が開閉ヒンジ部４５回りで上方に向けて回動することから、上方に向けて引っ張り上げられる。ここで、薄肉部４４は、栓体４１や天板部３３及び周壁部３４よりも十分に薄肉に形成されていることから、栓体４１の回動動作に追従して栓体４１の外周縁と接する部分から順に上蓋１３の外側に向けて椀状に突出変形していく（図３参照）。これにより、注出口２２Ａは、キャップ本体１１に装着された上蓋１３によって形成された閉空間を維持したまま開栓される。
【００２０】
なお、薄肉部４４全体が上蓋１３の外側に向けて突出変形すると、薄肉部４４の突出変形状態は、維持される。これにより、薄肉部４４が上蓋１３の内側に向けて再び椀状に陥没変形することが回避され、注出口２２Ａの開栓状態が維持される。
ここで、栓体４１の上端縁が開閉ヒンジ部４５を介して天板部３３に接続されており、操作部４３を上方に引き上げて栓体４１の開栓動作を行うときに開閉ヒンジ部４５を起点として栓体４１が移動するので、栓体４１の回動動作が安定する。
【００２１】
続いて、消費者は、薄肉部４４を上蓋１３の外方に向けて突出変形させた状態で操作部４３をさらに上方に引き上げる。そして、装着筒部２５の第１装着凸部２５Ａと周壁部３４の第２装着凸部３６Ａとの間の係合は、操作部４３を上方に引き上げる際の力によって解除される。さらに、上蓋１３は、操作部４３の引き上げ動作に伴って連結ヒンジ部１２回りで回動する。これにより、注出筒２２の注出口２２Ａは、上蓋１３から露出する（図４参照）。
ここで、開閉ヒンジ部４５が栓体４１の上端縁に設けられているため、注出口２２Ａを開栓する際の操作部４３の引き上げ方向と上蓋１３を連結ヒンジ部１２回りで回動させる際の操作部４３の引き上げ方向とは、同方向となっている。そのため、注出口２２Ａの開栓動作と上蓋１３の回動動作とは、一連の流れの動作で行われる。したがって、注出口２２Ａの開栓動作が容易になる。なお、消費者は、注出口２２Ａを開栓した後に操作部４３以外の箇所を把持して上蓋１３を連結ヒンジ部１２回りで回動させてもよい。
その後、消費者は、容器２を適宜傾け、連通口２１Ａを通って容器２内の内容物を注出筒２２内に流通させ、注出口２２Ａから注出する。
【００２２】
内容物を注出した後に注出口２２Ａを閉栓する際、消費者は、上述した手順の逆の順番で、連結ヒンジ部１２回りで上蓋１３を回動させて周壁部３４の第２装着凸部３６Ａを装着筒部２５の第１装着凸部２５Ａと係合させる。
また、消費者は、操作部４３を下方に引き下げる。これにより、薄肉部４４は、栓体４１の回動動作に追従して栓体４１の外周縁と接する部分から順に上蓋１３の内側に向けて椀状に陥没変形していく。そして、栓体４１は、開閉ヒンジ部４５回りで下方に向けて回動するため、嵌合凸部４１Ａが注出口２２Ａに嵌合する。以上のようにして、注出口２２Ａを閉栓する。ここで、栓体４１の上端縁が開閉ヒンジ部４５を介して天板部３３に接続されており、上述と同様に、操作部４３を下方に引き下げて栓体４１の閉栓動作を行うときに開閉ヒンジ部４５を起点として栓体４１が移動するので、栓体４１の回動動作が安定する。
【００２３】
以上のような構成の注出キャップ１によれば、薄肉部４４が上蓋１３の内外側に向けて出没変形自在であるため、キャップ本体１１に装着された上蓋１３によって形成された閉空間内で注出口２２Ａを開閉でき、上蓋１３の外部から内部に異物が侵入することを抑制できる。
また、栓体４１が開閉ヒンジ部４５を起点として回動して開閉時における栓体４１の運動が一定になるため、注出口２２Ａを安定して開閉できる。
【００２４】
なお、本発明は上記実施形態に限定されるものではなく、本発明の趣旨を逸脱しない範囲において種々の変更を加えることができる。
例えば、開閉ヒンジ部は、栓体の上端縁に設けられているが、栓体の上端縁以外の箇所に設けられてもよい。この場合、消費者は、栓体を開閉ヒンジ部が設けられた方向に向けて操作部を引くことによって注出口を開栓する。
また、変形部には、開閉ヒンジ部が設けられているが、開閉ヒンジ部が設けられていなくてもよい。
そして、変形部には、栓体よりも薄肉とした薄肉部が設けられているが、開閉いずれの状態においても注出筒の密閉状態が保持されかつ操作部の操作によって開栓時に上蓋の外側に向けて変形すると共に閉栓時に上蓋の内側に向けて変形すれば、薄肉部以外の他の構造であってもよい。例えば、変形部は、変形部の複数個所に操作部の引き上げ動作に伴って屈曲変形する箇所を設け、開栓時に上蓋の外側に向けて屈曲した椀状に屈曲変形すると共に閉栓時に上蓋の内側に向けて屈曲した椀状に屈曲変形するように構成されてもよい。
【００２５】
また、注出口は、注出筒を途中で注出軸に沿って屈曲させることによってキャップ軸に交差する側方に開口しているが、注出筒を天面部からキャップ軸に交差する軸に沿って延在させることによってキャップ軸に交差する側方に開口してもよい。
そして、注出口は、キャップ軸を挟んで連結ヒンジ部とは径方向で反対側に向けて開口しているが、これに限らず、例えば連結ヒンジ部から周方向に９０°離れた方向に開口してもよい。
さらに、注出筒は、注出キャップに１つのみ設けられているが、２以上設けられてもよい。
また、注出キャップは、容器の口部に嵌合することで被着されるが、口部に螺着されるなど、他の構造により被着されてもよい。
【産業上の利用可能性】
【００２６】
この発明によれば、注出口を閉空間内で栓体によって閉栓できる注出キャップに関して、産業上の利用可能性が認められる。
【図面の簡単な説明】
【００２７】
【図１】本発明の一実施形態における注出キャップを示す軸方向断面図である。
【図２】注出キャップを示す側面図である。
【図３】注出方法を示す軸方向断面図である。
【図４】同じく、注出方法を示す軸方向断面図である。
【符号の説明】
【００２８】
１  注出キャップ、２  容器、３  口部、１１  キャップ本体、１２  連結ヒンジ部、１３  上蓋、２２  注出筒、２２Ａ  注出口、３１  蓋本体、４１  栓体、４２  変形部、４３  操作部、４５  開閉ヒンジ部、Ｏ１  キャップ軸（中心軸）
【図１】
2010149867.tif 000003
【図２】
2010149867.tif 000004
【図３】
2010149867.tif 000005
【図４】
2010149867.tif 000006